(57)【特許請求の範囲】
【請求項１】
画像を取り込み当該画像に画像処理を施す処理部と、
外部装置が接続される外部インタフェースと、
前記処理部の異常を監視する診断部とを備え、
前記診断部は、
前記処理部の異常動作を検知し、前記異常動作の内容を所定の判定基準に基づいて複数段階のエラーレベルに分類する異常検知部と、
前記エラーレベルが予め定められたレベルに達すると、前記処理部が保持しているデータの少なくとも一部を、抽出データとして自動的に前記外部装置に出力するデータ抽出部とを有し、
前記データ抽出部は、前記処理部が保持している複数種類のデータの中から、前記抽出データとするデータの種類を、前記エラーレベルに応じて自動的に選択することを特徴とする画像処理装置。
【請求項２】
前記外部装置は、データを記憶する外部記憶装置であって、
前記データ抽出部は、前記抽出データを前記外部記憶装置に書き込むことを特徴とする請求項１に記載の画像処理装置。
【請求項３】
前記外部装置は、データを表示する表示装置であって、
前記データ抽出部は、前記抽出データを前記表示装置に表示することを特徴とする請求項１に記載の画像処理装置。
【請求項４】
前記外部装置は、前記外部インタフェースにネットワークを介して接続されるサーバ装置であって、
前記データ抽出部は、前記外部インタフェースを前記サーバ装置に接続し、前記抽出データを前記サーバ装置に送信することを特徴とする請求項１に記載の画像処理装置。
【請求項５】
前記処理部は、少なくとも、前記画像処理に用いる設定データと、前記画像を表す画像データとの２種類のデータを保持しており、
前記データ抽出部は、前記エラーレベルが第１のレベルにあると前記抽出データとして前記設定データを選択し、前記エラーレベルが前記第１のレベルよりも高い第２のレベルにあると前記抽出データとして前記設定データと前記画像データとの両方を選択することを特徴とする請求項１ないし請求項４のいずれか１項に記載の画像処理装置。
【発明の詳細な説明】
【技術分野】
【０００１】
本発明は、取り込んだ画像に画像処理を施す処理部を備えた画像処理装置に関するものである。
【背景技術】
【０００２】
従来から、この種の画像処理装置として、画像メモリが更新されない異常動作を検出する機能を備えた装置が提案されている（たとえば特許文献１参照）。
【０００３】
特許文献１に記載の画像処理装置は、カメラから得られた映像を画像メモリに格納し、画像メモリの画像（画像信号）に画像処理を施して、画像処理後の画像を表示器に表示する。この画像処理装置は、画像メモリの画像が更新されているか否かを検知し、画像メモリの不具合によって画像が更新されない異常動作を検知したときには利用者に警告を行う。これにより、画像処理装置は、画像メモリの画像が更新されないフリーズ状態において、カメラで撮影されている映像とは異なる映像が利用者に伝わることを防止できる。
【先行技術文献】
【特許文献】
【０００４】
【特許文献１】特開２００８−２８３４３１号公報
【発明の概要】
【発明が解決しようとする課題】
【０００５】
ところで、画像処理装置の異常動作に様々な原因が考えられる場合、その原因を特定するためには、異常動作の発生時における画像処理装置自体のデータを解析する必要がある。しかし、特許文献１に記載の画像処理装置は、異常動作を検知したときに、利用者に異常を知らせるための警告を行うに過ぎないため、利用者は、画像処理装置自体のデータを取得できず、異常動作の原因を特定できないことがある。
【０００６】
また、画像処理装置の出力結果（画像処理結果）が正しくなく、画像処理装置のメーカが、画像処理装置のメンテナンスを行う場合に、メンテナンスに必要な画像データ、設定データ等のデータを画像処理装置から取得することが困難であるという問題もある。つまり、一般的に、画像処理装置のメーカと利用者との間をエンジニアリング会社が仲介しているため、画像処理装置のデータをメーカが取得することは難しい。
【０００７】
本発明は上記事由に鑑みて為されており、異常動作の原因の特定やメンテナンス等に必要なデータを容易に取得可能になる画像処理装置を提供することを目的とする。
【課題を解決するための手段】
【０００８】
本発明の画像処理装置は、画像を取り込み当該画像に画像処理を施す処理部と、外部装置が接続される外部インタフェースと、前記処理部の異常を監視する診断部とを備え、前記診断部は、前記処理部の異常動作を検知し、前記異常動作の内容を所定の判定基準に基づいて複数段階のエラーレベルに分類する異常検知部と、前記エラーレベルが予め定められたレベルに達すると、前記処理部が保持しているデータの少なくとも一部を、抽出データとして自動的に前記外部装置に出力するデータ抽出部とを有し、前記データ抽出部は、前記処理部が保持している複数種類のデータの中から、前記抽出データとするデータの種類を、前記エラーレベルに応じて自動的に選択することを特徴とする。
【０００９】
この画像処理装置において、前記外部装置は、データを記憶する外部記憶装置であって、前記データ抽出部は、前記抽出データを前記外部記憶装置に書き込むことが望ましい。
【００１０】
この画像処理装置において、前記外部装置は、データを表示する表示装置であって、前記データ抽出部は、前記抽出データを前記表示装置に表示することがより望ましい。
【００１１】
この画像処理装置において、前記外部装置は、前記外部インタフェースにネットワークを介して接続されるサーバ装置であって、前記データ抽出部は、前記外部インタフェースを前記サーバ装置に接続し、前記抽出データを前記サーバに送信することがより望ましい。
【００１３】
この画像処理装置において、前記処理部は、少なくとも、前記画像処理に用いる設定データと、前記画像を表す画像データとの２種類のデータを保持しており、前記データ抽出部は、前記エラーレベルが第１のレベルにあると前記抽出データとして前記設定データを選択し、前記エラーレベルが前記第１のレベルよりも高い第２のレベルにあると前記抽出データとして前記設定データと前記画像データとの両方を選択することがより望ましい。
【発明の効果】
【００１４】
本発明は、エラーレベルが予め定められたレベルに達すると、データ抽出部が、処理部が保持しているデータの少なくとも一部を、抽出データとして自動的に外部装置に出力するので、異常動作の原因の特定やメンテナンス等に必要なデータを容易に取得可能になる。
【図面の簡単な説明】
【００１５】
【図１】実施形態１に係る画像処理装置の概略構成を示す説明図である。
【図２】実施形態１に係る画像処理装置の構成を示すブロック図である。
【図３】実施形態２に係る画像処理装置の動作の説明図である。
【発明を実施するための形態】
【００１６】
（実施形態１）
本実施形態の画像処理装置は、検査対象物の画像を撮像するカメラに接続されており、たとえば検査対象物の良品・不良品の判定に用いられる。
【００１７】
画像処理装置１は、図２に示すように、カメラ２に接続された画像取込部１１と、画像取込部１１に接続された処理実行部１２と、画像取込部１１に接続された外部インタフェース１３とを備えている。さらに、画像処理装置１は、これら画像取込部１１、処理実行部１２、外部インタフェース１３に接続された中央処理装置（ＣＰＵ）１４を備えており、画像取込部１１、処理実行部１２、外部インタフェース１３の各部の動作を中央処理装置１４で制御している。画像取込部１１には第１のメモリ１５、処理実行部１２には第２のメモリ１６、外部インタフェース１３には第３のメモリ１７が接続されている。
【００１８】
カメラ２は、二次元画像を撮像可能なＣＣＤ（Charge Coupled Devices）などのエリアイメージセンサが撮像素子に用いられている。ここでは、カメラ２は濃淡値を画素値とする濃淡画像（モノクロ画像）を撮像するカメラとするが、カラー画像を撮像するカラーカメラであってもよい。
【００１９】
画像取込部１１は、ＦＰＧＡ（Field-Programmable Gate Array）からなり、カメラ２で撮像された画像のデータをカメラ２から取り込む。画像取込部１１は、取り込んだ画像（以下、「取得画像」という）のデータを内部バッファ（図示せず）に蓄積する。なお、画像取込部１１は、カメラ２を複数台（たとえば４台まで）接続可能であって、カメラ２ごとに別の内部バッファに取得画像を蓄えることによって、カメラ２の台数が増えても取得画像の取り込みに要する時間が長くならない構成とする。
【００２０】
画像取込部１１は、内部バッファが取得画像で飽和すると、取得画像のデータを第１のメモリ１５に対して１画面（１フレーム）ずつ転送する。ここで、画像取込部１１は、各種のフィルタ処理などの前処理を施してから取得画像を第１のメモリ１５に出力する。すなわち、カメラ２で撮像された画像は、画像取込部１１を経由して、順次、第１のメモリ１５に格納されることになる。また、本実施形態では、画像取込部１１は取得画像を第１のメモリ１５だけでなく第３のメモリ１７にも出力し、第３のメモリ１７にも取得画像を格納している。
【００２１】
処理実行部１２は、ＤＳＰ（Digital Signal Processor）からなり、画像取込部１１で取り込まれて第１のメモリ１５に格納された取得画像について、パターンマッチング等の種々の画像処理を実行する。処理実行部１２は、たとえば取得画像内の検査領域の大きさや形状等から検査対象物の良否を自動的に判定する。ここでは、処理実行部１２は、第１のメモリ１５へ取得画像が保存されると、この取得画像を第１のメモリ１５から内部メモリ（図示せず）に順次取り込みつつ、画像取込部１１で先に取り込まれた取得画像から順に画像処理を実行する。このとき、第１のメモリ１５は、処理実行部１２の内部メモリに取り込まれた取得画像については順次消去する。なお、処理実行部１２は、取得画像を１画面（１フレーム）単位で内部メモリに取り込むことにより、第１のメモリ１５からの取得画像の取り込みに要する時間を最小限に抑えている。
【００２２】
第２のメモリ１６は、処理実行部１２での画像処理に用いる各種パラメータ等のデータを、設定データとして予め記憶している。処理実行部１２が同一の取得画像について画像処理を実行する場合でも、第２のメモリ１６に記憶されている設定データによって、画像処理の結果は異なる。第２のメモリ１６に記憶されている設定データは、任意に書き換え可能である。
【００２３】
ここで、画像取込部１１および処理実行部１２は、第１〜３のメモリ１５〜１７と共に、画像処理装置１としての基本的な機能を実現する処理部１０を構成している。つまり、画像取込部１１と処理実行部１２とメモリ１５〜１７とは、カメラ２から画像を取り込んでこの画像に画像処理を施す処理部１０を構成している。
【００２４】
外部インタフェース１３は、ＦＰＧＡを主構成とし、第１の出力部１３１と第２の出力部１３２と第３の出力部１３３との３つの出力経路を有している。第１の出力部１３１は、たとえばＳＤカードやコンパクトフラッシュ（登録商標）などのメモリカードからなる外部記憶装置３につながっている。第２の出力部１３２は、たとえばイーサネット（登録商標）を用いたネットワーク経由でサーバ装置４につながっている。第３の出力部１３３は、液晶モニタなどの表示装置５に接続されている。
【００２５】
これにより、画像処理装置１は、第１の出力部１３１に接続された外部記憶装置３や、第２の出力部１３２に接続されたサーバ装置４や、第３の出力部１３３に接続された表示装置５に対して、外部インタフェース１３から画像等のデータを出力することができる。要するに、外部記憶装置３、サーバ装置４、表示装置５は、外部インタフェース１３に接続される外部装置であり、画像処理装置１は、これらの外部装置へ外部インタフェース１３からデータを出力する。
【００２６】
具体的には、第１の出力部１３１は、外部記憶装置３が着脱可能に接続されるメモリインタフェースからなり、外部記憶装置３にデータを書き込んだり、外部記憶装置３からデータを読み出したりする。つまり、ユーザは、外部記憶装置３を画像処理装置１から取り外して、外部記憶装置３に記憶されたデータをパーソナルコンピュータなどの他装置で読み出すことができる。
【００２７】
第２の出力部１３２は、たとえばイーサネット（登録商標）の通信インタフェースからなり、画像処理装置１のメーカが管理しているサーバ装置４に接続される。つまり、第２の出力部１３２は、ネットワークを介してサーバ装置４にデータを送信したり、サーバ装置４からデータを受信したりする。これにより、画像処理装置１は、遠隔地に設置されているサーバ装置４との間でデータのやり取りが可能になる。
【００２８】
第３の出力部１３３は、画像処理の結果などのデータを表示装置５に出力し、表示装置５に表示する。つまり、ユーザは、表示装置５の画面を見ることによって、画像処理の結果などのデータを視覚的に取得することができる。
【００２９】
ここで、画像処理装置１は、画像取込部１１で取り込んだ取得画像を第１のメモリ１５と第３のメモリ１７とに予め格納しており、中央処理装置１４にて、第３のメモリ１７内の取得画像に処理実行部１２での画像処理結果を付加して出力画像を生成する。第３のメモリ１７は、このようにして生成された出力画像を複数蓄積可能に構成されている。外部インタフェース１３は、第３のメモリ１７に一旦蓄積された出力画像を、古い（つまり、第３のメモリ１７に先に格納された）出力画像から順に出力する。これにより、外部インタフェース１３は、第１の出力部１３１あるいは第２の出力部１３２から、検査結果（画像処理結果）に取得画像がオーバーレイされた画像を、出力画像として出力することができる。
【００３０】
ところで、本実施形態の画像処理装置１は、上述したような処理部（画像取込部１１、処理実行部１２）１０および外部インタフェース１３に加えて、処理部１０の異常を監視する診断部としての機能を備えている。ここでは、中央処理装置１４が診断部として機能を具備している。
【００３１】
診断部としての中央処理装置１４は、図１に示すように、処理部１０の異常動作を検知する異常検知部１８と、処理部１０が保持しているデータの少なくとも一部を、抽出データとして外部装置に出力するデータ抽出部１９とを有している。
【００３２】
異常検知部１８は、処理部１０の異常動作の内容を所定の判定基準に基づいて複数段階のエラーレベルに分類する。つまり、異常動作の内容としては、たとえば設定データとしてのパラメータが誤って桁違いで設定されていることが原因の異常動作や、取得画像に対して適切でない設定データが設定されていることにより正しい画像処理結果が得られない異常動作などがある。さらに、処理部１０やカメラ２などの周辺装置のハード面での故障等が原因の異常動作もある。
【００３３】
本実施形態の異常検知部１８は、これらの異常動作の内容を判定基準に基づいて評価し、異常動作をその異常の度合いに応じて複数段階のエラーレベルに分類する。本実施形態では、異常検知部１８は、「階層１」、「階層２」、「階層３」の３段階のエラーレベルに分類する。ここでは、エラーレベルは「階層１」が最も異常の度合いが大きく（つまり、重度の異常である）、次いで「階層２」が異常の度合いが大きく、「階層３」が最も異常の度合いが小さい（つまり、軽度の異常である）こととする。
【００３４】
以下に、異常検知部１８による処理部１０の異常動作の判定基準の具体例を示す。まず、異常検知部１８は、処理部１０が動作を完全に停止し、電源を入れなおさなければ（再起動しなければ）復帰しない場合など、ＣＰＵが制御不能な状況にあれば、最も重度の異常と判定して「階層１」に分類する。また、異常検知部１８は、処理部１０の処理中に何らかのエラーが発生し無限ループに陥った場合など、ＣＰＵがエラーを認識できる状況にあれば、重度の異常と判定して「階層２」に分類する。さらに、異常検知部１８は、処理部１０が、プログラム上で許容されていない指示がユーザから与えられた場合など、プログラム上でエラーと規定されている状況にあれば、軽度の以上と判定して「階層３」に分類する。
【００３５】
データ抽出部１９は、異常検知部１８で分類されたエラーレベルが、予め定められたあるレベルに達すると、処理部１０が保持しているデータの少なくとも一部を抽出データとして自動的に外部装置に出力する。一例として、データ抽出部１９は、エラーレベルが「階層１」に達すると、外部装置としての外部記憶装置３に抽出データを出力する。ただし、データ抽出部１９が抽出データを出力するときのエラーレベルや、抽出データの出力先となる外部装置は、ユーザが任意に設定可能である。つまり、データ抽出部１９は、たとえばエラーレベルが「階層２」に達すると外部装置としてのサーバ装置４に抽出データを出力する構成や、エラーレベルが「階層１」に達すると外部装置としての表示装置５に抽出データを出力する構成でもよい。
【００３６】
ここで、抽出データは、異常動作の原因の特定やメンテナンス等に必要なデータであって、異常動作の発生時において処理部１０自体が保持しているデータである。本実施形態では、処理部１０は、画像処理に用いる設定データと、画像を表す画像データとの２種類のデータを保持しており、設定データを第２のメモリ１６に格納し、画像データを第１のメモリ１５および第３のメモリ１７に格納している。データ抽出部１９は、異常検知部１８で異常動作が検知された時点における設定データおよび画像データを、抽出データとして外部装置に出力する。なお、処理部１０の動作履歴を表す装置ログが処理部１０に保持されている場合、データ抽出部１９は、設定データ、画像データと併せて、あるいは単独で装置ログを抽出データとして外部装置に出力してもよい。
【００３７】
データ抽出部１９は、抽出データを外部記憶装置３に出力する場合には、第１の出力部１３１から外部記憶装置３へ抽出データを出力し、外部記憶装置３への抽出データの書き込みを行う。また、データ抽出部１９は、抽出データをサーバ装置４に出力する場合には、第２の出力部１３２からサーバ装置４へ抽出データを送信し、サーバ装置４への抽出データの書き込みを行う。また、データ抽出部１９は、抽出データを表示装置５に出力する場合には、第３の出力部１３３から表示装置５へ抽出データを送信し、表示装置５への抽出データの表示を行う。
【００３８】
データ抽出部１９がエラーレベルに応じて抽出データを自動的に外部装置（外部記憶装置３、サーバ装置４、表示装置５）へ出力することによって、ユーザ等は、異常動作の原因の特定やメンテナンス等に必要なデータを容易に取得可能となる。すなわち、抽出データが外部記憶装置３に出力されれば、ユーザは、外部記憶装置３を画像処理装置１から取り外して、外部記憶装置３に記憶された抽出データをパーソナルコンピュータなどの他装置で取得することができる。抽出データがサーバ装置４に出力されれば、サーバ装置４の管理者（メーカ）は、エンジニアリング会社や画像処理装置１のユーザを介さずに、直接抽出データを取得することができる。また、抽出データが表示装置５に出力されれば、ユーザは、表示装置５の画面を見ることによって、抽出データを視覚的に取得することができる。
【００３９】
なお、表示装置５は、画像処理装置１の運転状況や、取得画像、出力画像等から表示内容を選択可能なメニュー画面を表示し、このメニュー画面に抽出データを表示するための項目（ここでは「メンテナンス」とする）を表示してもよい。この場合、ユーザは、画像処理装置１に接続可能な専用のキーパッドやマウス等の入力装置を用いて、表示装置５に表示されているメニュー画面から「メンテナンス」の項目を選択することにより、抽出データを表示装置５の画面上に表示させることができる。
【００４０】
以上説明した本実施形態の画像処理装置１によれば、異常検知部１８が処理部１０の異常動作を複数段階のエラーレベルに分類し、エラーレベルがあるレベルに達すると、データ抽出部１９が抽出データを外部装置に出力する。言い換えれば、画像処理装置１は、処理部１０の異常動作の度合いに応じて、処理部１０が保持しているデータの少なくとも一部を抽出データとして自動的に外部装置に出力することになる。つまり、画像処理装置１は、異常の程度を判定し、ごく軽微な異常であれば抽出データの出力は行わず、ある程度以上の異常であれば抽出データを自動的に外部装置に出力することになる。これにより、画像処理装置１のユーザあるいはサーバ装置４の管理者（以下、「ユーザ等」という）は、異常動作の原因の特定やメンテナンス等に必要な抽出データを、画像処理装置１から容易に取得可能となる。
【００４１】
その結果、ユーザ等は、取得した抽出データを用いることで、画像処理装置１の異常動作の原因を特定したり、画像処理装置１のメンテナンスを行ったりすることが可能になる。具体的には、たとえば処理部１０やカメラ２などの周辺装置のハード面での故障等が原因で、処理部１０が動作を完全に停止した場合などには、ユーザ等は、早急に原因を特定して対処する必要がある。このような場合、異常検知部１８で判定されるエラーレベルが「階層１」に達することにより、ユーザ等は、抽出データを画像処理装置１から容易に取得できるので、早急に原因を特定でき、画像処理装置１や周辺装置の修理、交換といった対処が可能になる。
【００４２】
ところで、本実施形態では、データ抽出部１９は、エラーレベルが予め定められたあるレベルに達すると、抽出データをある決まった外部装置に出力するが、この例に限らず、エラーレベルに応じて抽出データの出力先となる外部装置を自動的に選択してもよい。たとえば、データ抽出部１９は、エラーレベルが「階層３」に達すると表示装置５を出力先とし、エラーレベルが「階層２」に達するとサーバ装置４を出力先とし、エラーレベルが「階層１」に達すると外部記憶装置３を出力先として抽出データを出力する。この構成では、データ抽出部１９は、異常の度合いによって異なる外部装置へ抽出データを出力することができるので、ユーザ等による異常動作に対する対処の幅が広がる。なお、抽出データの出力先としては複数の外部装置が選択されていてもよい。
【００４３】
（実施形態２）
本実施形態の画像処理装置１は、データ抽出部１９が、処理部１０が保持している複数種類のデータの中から、抽出データとするデータの種類をエラーレベルに応じて自動的に選択する点で実施形態１の画像処理装置１と相違する。以下、実施形態１と同様の構成については共通の符号を付して適宜説明を省略する。
【００４４】
本実施形態においては、データ抽出部１９は、エラーレベルが予め定められたあるレベルに達したときに外部装置に抽出データとして出力するデータの種類を、エラーレベルに応じて自動的に切り替えている。そのため、データ抽出部１９は、たとえばエラーレベルが「階層３」のときと、「階層２」のときとでは、異なる種類のデータを抽出データとして外部装置に出力する。
【００４５】
本実施形態では、処理部１０は、画像処理に用いる設定データと、画像を表す画像データと、処理部１０の動作履歴を表す装置ログとの３種類のデータを保持している。データ抽出部１９は、図３に示すように異常検知部１８で分類されたエラーレベルを識別し（図３のＳ１）、３種類のデータの中から抽出データとするデータをエラーレベルに応じて選択する。
【００４６】
すなわち、データ抽出部１９は、エラーレベルの識別結果が「階層３」であれば、抽出データとして設定データを選択し（Ｓ２）、エラーレベルの識別結果が「階層２」であれば、抽出データとして設定データと画像データとの両方を選択する（Ｓ３）。言い換えれば、データ抽出部１９は、エラーレベルが最も低い「階層３」（第１のレベル）であれば設定データを外部装置に出力し、エラーレベルが「階層３」よりも高い「階層２」（第２のレベル）であれば設定データおよび画像データの両方を外部装置に出力する。
【００４７】
また、データ抽出部１９は、異常検知部１８で分類されたエラーレベルが最も高い「階層１」であれば、設定データと画像データと装置ログとの３種類のデータを抽出データとして選択し、外部装置に出力する（Ｓ４）。なお、抽出データの出力先となる外部装置は外部記憶装置３、サーバ装置４、表示装置５のいずれでもよい。
【００４８】
以上説明した構成の画像処理装置１によれば、処理部１０が複数種類のデータを保持している場合、データ抽出部１９は、エラーレベルに応じて抽出データとするデータの種類を自動的に選択するので、異常の度合いに見合った適切なデータを外部装置へ出力できる。そのため、異常の度合いに応じて異常動作の原因の特定やメンテナンス等に必要なデータの種類が異なる場合でも、ユーザ等は、必要なデータを画像処理装置１から容易に取得可能となる。
【００４９】
特に、データ抽出部１９が、エラーレベルが低ければ設定データのみを抽出データとして出力し、エラーレベルが高くなると設定データと画像データとの両方を抽出データとして出力することにより、ユーザ等は異常動作に対して適切な対処が可能となる。具体的には、たとえば設定データとしてのパラメータが間違って桁違いで設定されていることが原因の軽度の異常であれば、ユーザ等は、設定データを抽出データとして取得し、設定データの異常値を正しく設定し直すだけで異常動作を解消できる。一方、取得画像に対して適切でない設定データが設定されていることによるやや重度の異常であれば、ユーザ等は、設定データおよび画像データを抽出データとして取得し、取得画像に対して適切な設定データを求めて再設定すれば異常動作を解消できる。
【００５０】
また、エラーレベルが最も高い「階層１」であれば、データ抽出部１９は、設定データと画像データと装置ログとの３種類のデータを抽出データとして出力するので、ユーザ等は、設定データの設定では済まないような重度の異常に対しても適切に対処可能となる。
【００５１】
なお、その他の構成および機能は実施形態１と同様である。
【符号の説明】
【００５２】
１  画像処理装置
３  外部記憶装置（外部装置）
４  サーバ装置（外部装置）
５  表示装置（外部装置）
１０  処理部
１３  外部インタフェース
１４  中央処理装置（診断部）
１８  異常検知部
１９  データ抽出部
【図１】
0005814668.tif 000002
【図２】
0005814668.tif 000003
【図３】
0005814668.tif 000004